(57)【要約】【課題】  偽輪郭を改善する。【解決手段】  第１期間Ｔ１は高輝度に対応し、第２期間Ｔ２は低輝度に対応する。第１書込期間Ｔ１wrtにおいて、高輝度に対応する設定電流を書き込み、第１発光期間Ｔ１elにおいてＯＬＥＤ素子を発光させる。一方、第２書込期間Ｔ２wrtにおいて、低輝度に対応する設定電流を書き込み、第２発光期間Ｔ２elにおいてＯＬＥＤ素子を発光させる。ここで、第１発光期間Ｔ１elと第２発光期間Ｔ２elとは隣接すように設定する。これにより、視覚刺激の分布を近接させ、偽輪郭を防止する。【選択図】      図１
2006023460.tif 000002
【特許請求の範囲】
【請求項１】
複数の走査線と、複数のデータ線と、前記走査線と前記データ線との交差に対応して各々設けられた画素回路とを備え、前記画素回路は、供給される電流に応じて輝度が調整される電気光学素子と、前記データ線と当該画素回路との間で流れ、階調を示す画像データに応じた設定電流を前記電気光学素子に供給する電流として記憶する記憶手段とを有する、電気光学装置の駆動方法であって、
１フレームは、第１期間と第２期間とから構成され、
前記第１期間は、第１書込期間と第１発光期間を含み、
前記第１書込期間において、高階調の画像データに応じた設定電流を前記記憶手段に書き込み、
前記第１発光期間において、前記記憶手段に記憶された大きさの設定電流を前記電気光学素子に供給し、
前記第２期間は、第２書込期間と第２発光期間とを含み、
前記第２書込期間において、低階調の画像データに応じた設定電流を前記記憶手段に書き込み、
前記第２発光期間において、前記記憶手段に記憶された大きさの設定電流を前記電気光学素子に供給し、
前記第１発光期間と前記第２発光期間とを時間軸上で隣接させた
ことを特徴とする電気光学装置の駆動方法。
【請求項２】
前記第１発光期間と前記第２発光期間は、前記第２書込期間を介して隣接することを特徴とする請求項１に記載の電気光学装置の駆動方法。
【請求項３】
前記第１発光期間と前記第２発光期間は、前記第１書込期間を介して隣接することを特徴とする請求項１に記載の電気光学装置の駆動方法。
【請求項４】
複数の走査線と、複数のデータ線と、前記走査線と前記データ線との交差に対応して各々設けられた画素回路とを備え、前記画素回路は、供給される電流に応じて輝度が調整される電気光学素子と、前記データ線と当該画素回路との間で流れ、階調を示す画像データに応じた設定電流を前記電気光学素子に供給する電流として記憶する記憶手段とを有する、電気光学装置の駆動方法であって、
１フレームは、第１期間と第２期間とから構成され、
前記第１期間は、第１書込期間と第１発光期間を含み、
前記第１書込期間において、高階調の画像データに応じた設定電流を前記記憶手段に書き込み、
前記第１発光期間において、前記記憶手段に記憶された大きさの設定電流を前記電気光学素子に供給し、
前記第２期間は、第２書込期間と第２発光期間とを含み、
前記第２書込期間において、低階調の画像データに応じた設定電流を前記記憶手段に書き込み、
前記第２発光期間において、前記記憶手段に記憶された大きさの設定電流を前記電気光学素子に供給し、
前記第１書込期間に書き込む設定電流の最小値を第１最小値、その最大値を第１最大値とし、前記第２書込期間に書き込む設定電流の最小値を第２最小値、その最大値を第２最大値としたとき、前記第1発光期間と前記第２発光期間との比が、前記第１最大値と前記第１最小値との比と等しく、前記第２最大値と前記第２最小値との比と等しくなるように設定したことを特徴とする電気光学装置の駆動方法。
【請求項５】
前記第1発光期間と前記第２発光期間との比が、表示すべき階調の最大値と最小値との比の平方根と等しくなるように設定したことを特徴とする請求項４に記載の電気光学装置の駆動方法。
【請求項６】
前記第1期間において表示すべき階調の範囲と、前記第２期間において表示すべき階調の範囲が一部重なるように設定されており、その範囲を重複範囲としたとき、
表示すべき階調が前記重複範囲にあるか否かを判定し、
表示すべき階調が前記重複範囲にある場合には、前記第１期間または前記第２期間をランダムに選択して前記電気光学素子を駆動する
ことを特徴とする請求項４に記載の電気光学装置の駆動方法。
【請求項７】
前記第1期間において表示すべき階調の第１範囲と、前記第２期間において表示すべき階調の第２範囲が境界値で重なるように設定されており、
表示すべき階調が前記境界値を含む所定範囲にあるか否かを判定し、
表示すべき階調が前記重複範囲にある場合には、表示すべき階調にランダムな階調値を合成し、
合成した階調値が前記第１範囲に属するか、前記第２範囲に属するかを判定し、
判定結果に応じて前記第１期間または前記第２期間を選択して前記電気光学素子を駆動する
ことを特徴とする請求項４に記載の電気光学装置の駆動方法。
【請求項８】
複数の走査線と、複数のデータ線と、前記走査線と前記データ線との交差に対応して各々設けられた画素回路とを備え、前記画素回路は、供給される電流に応じて輝度が調整される電気光学素子と、前記データ線と当該画素回路との間で流れ、階調を示す画像データに応じた設定電流を前記電気光学素子に供給する電流として記憶する記憶手段とを有する電気光学装置であって、
１フレームを、第１書込期間および第１発光期間を含む第１期間と、第２書込期間および第２発光期間とを含む第２期間とに分割し、前記第１書込期間および前記第２書込期間において、前記走査線を選択して前記データ線に供給される前記設定電流の大きさを前記記憶手段に書き込むように前記画素回路を制御し、前記第１発光期間および前記第２発光期間を時間軸上で隣接させて、これらの期間において前記記憶手段に記憶された大きさの前記設定電流を前記電気光学素子に供給するように前記画素回路を制御する第１駆動手段と、
前記第１書込期間において、高階調の画像データに応じた設定電流を前記データ線に供給するとともに、前記第２書込期間において、低階調の画像データに応じた設定電流を前記データ線に供給する第２駆動手段と、
を備える電気光学装置。
【請求項９】
前記第１駆動手段は、前記第２書込期間を介して前記第１発光期間と前記第２発光期間とを隣接させることを特徴とする請求項８に記載の電気光学装置。
【請求項１０】
前記第１駆動手段は、前記第１書込期間を介して前記第１発光期間と前記第２発光期間とを隣接させることを特徴とする請求項８に記載の電気光学装置。
【請求項１１】
複数の走査線と、複数のデータ線と、前記走査線と前記データ線との交差に対応して各々設けられた画素回路とを備え、前記画素回路は、供給される電流に応じて輝度が調整される電気光学素子と、前記データ線と当該画素回路との間で流れ、階調を示す画像データに応じた設定電流を前記電気光学素子に供給する電流として記憶する記憶手段とを有する、電気光学装置であって、
１フレームを、第１書込期間および第１発光期間を含む第１期間と、第２書込期間および第２発光期間とを含む第２期間とに分割し、前記第１書込期間および前記第２書込期間において、前記走査線を選択して前記データ線に供給される前記設定電流の大きさを前記記憶手段に書き込むように前記画素回路を制御し、前記第１発光期間および前記第２発光期間において前記記憶手段に記憶された大きさの前記設定電流を前記電気光学素子に供給するように前記画素回路を制御する第１駆動手段と、
前記第１書込期間において、高階調の画像データに応じた設定電流を前記データ線に供給するとともに、前記第２書込期間において、低階調の画像データに応じた設定電流を前記データ線に供給し、前記第１書込期間に書き込む設定電流の最小値を第１最小値、その最大値を第１最大値とし、前記第２書込期間に書き込む設定電流の最小値を第２最小値、その最大値を第２最大値としたとき、前記第１最大値と前記第１最小値との比および前記第２最大値と前記第２最小値との比が、前記第1発光期間と前記第２発光期間との比と等しくなるように設定する第２駆動手段と、
を備える電気光学装置。
【請求項１２】
前記第１駆動手段は、前記第1発光期間と前記第２発光期間との比が、表示すべき階調の最大値と最小値との比の平方根と等しくなるように設定することを特徴とする請求項１１に記載の電気光学装置。
【請求項１３】
前記第２駆動手段は、
前記第1期間において表示すべき階調の範囲と、前記第２期間において表示すべき階調の範囲が一部重なるように重複範囲を設定する設定手段と、
表示すべき階調が前記重複範囲にあるか否かを判定する判定手段と、
前記判定手段によって表示すべき階調が前記重複範囲にあると判定された場合には、前記第１期間または前記第２期間をランダムに選択して前記データ線に前記設定電流を供給する電流供給手段と、
を備えることを特徴とする請求項１１に記載の電気光学装置。
【請求項１４】
前記第２駆動手段は、
前記第1期間において表示すべき階調の第１範囲と、前記第２期間において表示すべき階調の第２範囲が境界値で重なるように設定する設定手段と、
表示すべき階調が前記境界値を含む所定範囲にあるか否かを判定する判定手段と、
前記判定手段によって表示すべき階調が前記所定範囲にあると判定された場合には、表示すべき階調にランダムな階調値を合成する合成手段と、
合成した階調値が前記第１範囲に属する場合には前記第１期間において前記設定電流を前記データ線に供給し、合成した階調値が前記第２範囲に属する場合には前記第２期間において前記設定電流を前記データ線に供給する電流供給手段と、
を備えることを特徴とする請求項１１に記載の電気光学装置。
【請求項１５】
請求項８乃至１４のうちいずれか１項に記載の電気光学装置を備えた電子機器。
【発明の詳細な説明】
【技術分野】
【０００１】
本発明は、例えば、電流に応じて発光強度が調整される素子を備えた電気光学装置、その駆動方法、および電子機器に関する。
【背景技術】
【０００２】
近年、液晶素子に代わる次世代の発光デバイスとして、有機エレクトロルミネッセンス素子や発光ポリマー素子などと呼ばれる有機発光ダイオード（Organic  Light  Emitting  Diode、以下適宜「ＯＬＥＤ素子」と略称する）素子が注目されている。このＯＬＥＤ素子は、自発光型であるために視野角依存性が少なく、また、バックライトや反射光が不要であるために低消費電力化や薄型化に向いているなど、表示パネルとして優れた特性を有している。
ここで、ＯＬＥＤ素子は、液晶素子のように電圧保持性を有さず、電流が途絶えると、発光状態が維持できなくなる電流型の被駆動素子である。このため、ＯＬＥＤ素子をアクティブ・マトリクス方式で駆動する場合、書込期間において、画素の階調に応じた電流を画素回路に供給し、電流の大きさに応じた電圧を駆動トランジスタのゲートに書き込んで、当該電圧をゲート容量などにより保持し、当該ゲート電圧に応じた電流を駆動トランジスタがＯＬＥＤ素子に流し続ける事が一般的となっている。
【０００３】
このような電流プログラム方式においては、ＯＬＥＤ素子の輝度を正確に制御できるが、データ線には浮遊容量が付随するため、階調電流の大きさによっては画素に十分電流を供給できない場合もあり得る。そこで、１フレームを分割し、その前半期間で高輝度の画像データを書き込み、その後半期間で低輝度の画像データを書き込む技術が知られてる。この技術によれば、前半期間の発光期間と後半期間の発光期間を個別に設定することによって、階調電流の書き込み不足を解消することが可能となる（例えば、特許文献１参照）。
【特許文献１】特開２００３−１５６０５号公報（図参照）
【発明の開示】
【発明が解決しようとする課題】
【０００４】
ところで、発光期間を分割する方式では、いわゆる偽輪郭といった画質劣化が問題となる（映像情報メディア学会誌Vol.58, No.4, pp.466-468参照）。その原理は、視線が画面内で移動すると、網膜上に残像が残り、その影響でにじみが生じるといったものである。特に、発光期間が離れている場合に画質劣化が顕著となる。
上述した従来の技術では、高輝度の書込期間の直後に発光期間が配置されるとともに、低輝度の書込期間の直後に発光期間が配置されていた。即ち、高輝度の発光期間と低輝度の発光期間が時間的に離れていた。このため、従来の技術では、偽輪郭による画質劣化が問題となる。
また、上述した従来の技術は、高輝度と低輝度で発光期間を分割するだけであって、高輝度の発光期間と低輝度の発光期間における電流のダイナミックレンジについて検討がなされていなかった。さらに、高輝度の発光期間と低輝度の発光期間とでは、異なるプロセスでＯＬＥＤ素子を発光させるため、駆動回路の構成要素のばらつきによって、階調の連続性を正確に維持することが困難であった。
【０００５】
本発明は、上述した事情に鑑みてなされたもので、その目的は、偽輪郭を改善する電気光学装置、その駆動方法および電子機器を提供する。また、本発明の他の目的は、高輝度の発光期間と低輝度の発光期間で電流のダイナミックレンジを近づける電気光学装置、その駆動方法および電子機器を提供する。くわえて、本発明の他の目的は、階調の段差を目立たなくする電気光学装置、その駆動方法および電子機器を提供することにある。
【課題を解決するための手段】
【０００６】
上記課題を解決するために、本発明に係る電気光学装置の駆動方法は、複数の走査線と、複数のデータ線と、前記走査線と前記データ線との交差に対応して各々設けられた画素回路とを備え、前記画素回路は、供給される電流に応じて輝度が調整される電気光学素子と、前記データ線と当該画素回路との間で流れ、階調を示す画像データに応じた設定電流を前記電気光学素子に供給する電流として記憶する記憶手段とを有する、電気光学装置を駆動する方法であって、１フレームは、第１期間と第２期間とから構成され、前記第１期間は、第１書込期間と第１発光期間を含み、前記第１書込期間において、高階調の画像データに応じた設定電流を前記記憶手段に書き込み、前記第１発光期間において、前記記憶手段に記憶された大きさの設定電流を前記電気光学素子に供給し、前記第２期間は、第２書込期間と第２発光期間とを含み、前記第２書込期間において、低階調の画像データに応じた設定電流を前記記憶手段に書き込み、前記第２発光期間において、前記記憶手段に記憶された大きさの設定電流を前記電気光学素子に供給し、前記第１発光期間と前記第２発光期間とを時間軸上で隣接させたことを特徴とする。
この発明によれば、設定電流の書き込みを画像データの示す階調に応じて高輝度に対応する第１書込期間と低輝度に対応する第２書込期間に分けたので、設定電流のダイナミックレンジを狭くすることができる。また、第１発光期間と第２発光期間とを時間軸上で隣接させたので、偽輪郭の発生を有効に防止することができる。ここで、時間軸上で隣接する態様としては、前記第１発光期間と前記第２発光期間が、前記第２書込期間を介して隣接する場合、および、前記第１書込期間を介して隣接する場合が含まれる。
【０００７】
また、本発明に係る電気光学装置の他の駆動方法は、複数の走査線と、複数のデータ線と、前記走査線と前記データ線との交差に対応して各々設けられた画素回路とを備え、前記画素回路は、供給される電流に応じて輝度が調整される電気光学素子と、前記データ線と当該画素回路との間で流れ、階調を示す画像データに応じた設定電流を前記電気光学素子に供給する電流として記憶する記憶手段とを有する、電気光学装置を駆動する方法であって、１フレームは、第１期間と第２期間とから構成され、前記第１期間は、第１書込期間と第１発光期間を含み、前記第１書込期間において、高階調の画像データに応じた設定電流を前記記憶手段に書き込み、前記第１発光期間において、前記記憶手段に記憶された大きさの設定電流を前記電気光学素子に供給し、前記第２期間は、第２書込期間と第２発光期間とを含み、前記第２書込期間において、低階調の画像データに応じた設定電流を前記記憶手段に書き込み、前記第２発光期間において、前記記憶手段に記憶された大きさの設定電流を前記電気光学素子に供給し、前記第１書込期間に書き込む設定電流の最小値を第１最小値、その最大値を第１最大値とし、前記第２書込期間に書き込む設定電流の最小値を第２最小値、その最大値を第２最大値としたとき、前記第1発光期間と前記第２発光期間との比が、前記第１最大値と前記第１最小値との比と等しく、前記第２最大値と前記第２最小値との比と等しくなるように設定したことを特徴とする。
【０００８】
この発明によれば、第１期間における設定電流のダイナミックレンジは、第１最小値から第１最大値までの範囲となり、第２期間における設定電流のダイナミックレンジは、第２最小値から第２最大値までの範囲となる。ここで、第1発光期間と第２発光期間との比をＫ、第１最大値と第１最小値との比をＳ１、第２最大値と２最小値との比をＳ２とすると、Ｋ＝Ｓ１＝Ｓ２となるので、第１期間および第２期間のダイナミックレンジを一致させることができる。この結果、設定電流の書き込み不足を解消して、正確な階調表示が可能となる。なお、「比を等しく」とは、完全に一致する場合のみならず、製品のばらつき範囲内のものを含む。要は、設定電流のダイナミックレンジを近づけるという観点から判断されるべきものである。
【０００９】
また、上述した電気光学装置の駆動方法において、前記第1発光期間と前記第２発光期間との比が、表示すべき階調の最大値と最小値との比の平方根と等しくなるように設定することが好ましい。この場合にも第１期間および第２期間のダイナミックレンジを一致させることができ、設定電流の書き込み不足を解消して、正確な階調表示が可能となる。
【００１０】
また、上述した電気光学装置の駆動方法において、前記第1期間において表示すべき階調の範囲と、前記第２期間において表示すべき階調の範囲が一部重なるように設定されており、その範囲を重複範囲としたとき、表示すべき階調が前記重複範囲にあるか否かを判定し、表示すべき階調が前記重複範囲にある場合には、前記第１期間または前記第２期間をランダムに選択して前記電気光学素子を駆動することが好ましい。この場合には、表示すべき階調が重複範囲にあるとき、第１期間による駆動と第２期間による駆動をランダムに選択するので、ばらつきによる階調の段差を目立たなくすることができる。
【００１１】
また、上述した電気光学装置の駆動方法において、前記第1期間において表示すべき階調の第１範囲と、前記第２期間において表示すべき階調の第２範囲が境界値で重なるように設定されており、表示すべき階調が前記境界値を含む所定範囲にあるか否かを判定し、表示すべき階調が前記重複範囲にある場合には、表示すべき階調にランダムな階調値を合成し、合成した階調値が前記第１範囲に属するか、前記第２範囲に属するかを判定し、判定結果に応じて前記第１期間または前記第２期間を選択して前記電気光学素子を駆動することが好ましい。この場合には、表示すべき階調が所定範囲にある場合には、ランダムな階調値を合成するから、ばらつきによる階調の段差を目立たなくすることができる。
【００１２】
次に、本発明に係る電気光学装置は、複数の走査線と、複数のデータ線と、前記走査線と前記データ線との交差に対応して各々設けられた画素回路とを備え、前記画素回路は、供給される電流に応じて輝度が調整される電気光学素子と、前記データ線と当該画素回路との間で流れ、階調を示す画像データに応じた設定電流を前記電気光学素子に供給する電流として記憶する記憶手段とを有するものであって、１フレームを、第１書込期間および第１発光期間を含む第１期間と、第２書込期間および第２発光期間とを含む第２期間とに分割し、前記第１書込期間および前記第２書込期間において、前記走査線を選択して前記データ線に供給される前記設定電流の大きさを前記記憶手段に書き込むように前記画素回路を制御し、前記第１発光期間および前記第２発光期間を時間軸上で隣接させて、これらの期間において前記記憶手段に記憶された大きさの前記設定電流を前記電気光学素子に供給するように前記画素回路を制御する第１駆動手段と、前記第１書込期間において、高階調の画像データに応じた設定電流を前記データ線に供給するとともに、前記第２書込期間において、低階調の画像データに応じた設定電流を前記データ線に供給する第２駆動手段と、を備える。
【００１３】
この発明によれば、設定電流の書き込みを画像データの示す階調に応じて高輝度に対応する第１書込期間と低輝度に対応する第２書込期間に分けたので、設定電流のダイナミックレンジを狭くすることができる。また、第１発光期間と第２発光期間とを時間軸上で隣接させたので、偽輪郭の発生を有効に防止することができる。ここで、時間軸上で隣接する態様としては、前記第１発光期間と前記第２発光期間が、前記第２書込期間を介して隣接する場合、および、前記第１書込期間を介して隣接する場合が含まれる。
【００１４】
また、本発明に係る他の電気光学装置は、複数の走査線と、複数のデータ線と、前記走査線と前記データ線との交差に対応して各々設けられた画素回路とを備え、前記画素回路は、供給される電流に応じて輝度が調整される電気光学素子と、前記データ線と当該画素回路との間で流れ、階調を示す画像データに応じた設定電流を前記電気光学素子に供給する電流として記憶する記憶手段とを有するものであって、１フレームを、第１書込期間および第１発光期間を含む第１期間と、第２書込期間および第２発光期間とを含む第２期間とに分割し、前記第１書込期間および前記第２書込期間において、前記走査線を選択して前記データ線に供給される前記設定電流の大きさを前記記憶手段に書き込むように前記画素回路を制御し、前記第１発光期間および前記第２発光期間において前記記憶手段に記憶された大きさの前記設定電流を前記電気光学素子に供給するように前記画素回路を制御する第１駆動手段と、前記第１書込期間において、高階調の画像データに応じた設定電流を前記データ線に供給するとともに、前記第２書込期間において、低階調の画像データに応じた設定電流を前記データ線に供給し、前記第１書込期間に書き込む設定電流の最小値を第１最小値、その最大値を第１最大値とし、前記第２書込期間に書き込む設定電流の最小値を第２最小値、その最大値を第２最大値としたとき、前記第１最大値と前記第１最小値との比および前記第２最大値と前記第２最小値との比が、前記第1発光期間と前記第２発光期間との比と等しくなるように設定する第２駆動手段と、を備える。この発明によれば、第１期間および第２期間のダイナミックレンジを一致させることができる。この結果、設定電流の書き込み不足を解消して、正確な階調表示が可能となる。
【００１５】
前記第１駆動手段は、前記第1発光期間と前記第２発光期間との比が、表示すべき階調の最大値と最小値との比の平方根と等しくなるように設定することが好ましい。この場合にも第１期間および第２期間のダイナミックレンジを一致させることができ、設定電流の書き込み不足を解消して、正確な階調表示が可能となる。
【００１６】
また、前記第２駆動手段は、前記第1期間において表示すべき階調の範囲と、前記第２期間において表示すべき階調の範囲が一部重なるように重複範囲を設定する設定手段と、表示すべき階調が前記重複範囲にあるか否かを判定する判定手段と、前記判定手段によって表示すべき階調が前記重複範囲にあると判定された場合には、前記第１期間または前記第２期間をランダムに選択して前記データ線に前記設定電流を供給する電流供給手段と、を備えることが好ましい。この場合には、表示すべき階調が重複範囲にあるとき、第１期間による駆動と第２期間による駆動をランダムに選択するので、ばらつきによる階調の段差を目立たなくすることができる。
【００１７】
また、前記第２駆動手段は、前記第1期間において表示すべき階調の第１範囲と、前記第２期間において表示すべき階調の第２範囲が境界値で重なるように設定する設定手段と、表示すべき階調が前記境界値を含む所定範囲にあるか否かを判定する判定手段と、前記判定手段によって表示すべき階調が前記所定範囲にあると判定された場合には、表示すべき階調にランダムな階調値を合成する合成手段と、合成した階調値が前記第１範囲に属する場合には前記第１期間において前記設定電流を前記データ線に供給し、合成した階調値が前記第２範囲に属する場合には前記第２期間において前記設定電流を前記データ線に供給する電流供給手段と、を備えることが好ましい。この場合には、表示すべき階調が所定範囲にある場合には、ランダムな階調値を合成するから、ばらつきによる階調の段差を目立たなくすることができる。
【００１８】
次に、本発明に係る電子機器は、上述した電気光学装置を備え、例えば、パーソナルコンピュータ、携帯電話機、および携帯情報端末等が該当する。
【発明を実施するための最良の形態】
【００１９】
＜１．第１実施形態＞
図１は本発明の第１実施形態に係わる電気光学装置の電気的構成を示すブロック図である。図１に示されるように電気光学装置１０は表示領域Ａを備える。表示領域Ａには、複数の走査線１０１と複数の発光制御線１０２が横方向（Ｘ方向）に延設される一方、複数本のデータ線１０３が図において縦方向（Ｙ方向）に延設されている。そして、これらの走査線１０１とデータ線１０３との交差の各々に対応するように画素回路４００がそれぞれ設けられている。
ここで説明の便宜上、本実施形態では、走査線１０１の本数（行数）をｍとし、データ線の本数（列数）をｎとして、画素回路４００が、縦ｍ行×横ｎ列のマトリクス状に配列する構成を想定する。
【００２０】
Ｙドライバ１００は、１行ずつ走査線１０１を選択するとともに、選択した走査線１０１に対して、Ｈレベルの走査信号ＧＷＲＴ１〜ＧＷＲＴｍを供給する。さらに発光制御信号ＧＥＬ１〜ＧＥＬｍを発光制御線１０２に供給する。すなわち、Ｙドライバ１００は、走査線１０１および発光制御線１０２に対し、行ごとに、走査信号ＧＷＲＴ１〜ＧＷＲＴｍや発光制御信号ＧＥＬ１〜ＧＥＬｍをそれぞれ供給する。
Ｘドライバ２００は、各データ線１０３に対応した電流ＤＡ変換器等を備え、Ｙドライバ１００によって選択された走査線１０１に対応する１行分の画素回路、すなわち、選択された行に位置する１〜ｎ列の画素回路４００の各々に、１〜ｎ列目のデータ線１０３を介して、階調信号Ｘ１〜Ｘｎをそれぞれ供給する。電源回路３６０は電源電圧Ｖｄｄとプリチャージ電圧Ｖpreを生成する。電源電圧Ｖｄｄは電流供給線１０４を介して各画素回路４００に供給され、プリチャージ電圧Ｖpreはプリチャージ回路２２０に供給される。
【００２１】
タイミング制御回路３４０は、各種のタイミング信号を生成して、Ｙドライバ１００およびＸドライバ２００に供給するとともに、プリチャージ制御信号Ｇpreをプリチャージ回路２２０に供給する。プリチャージ回路２２０はn本のデータ線１０３に各々接続されるトランジスタで構成される。プリチャージ制御信号Ｇpreがアクティブ（Ｈレベル）になると、各トランジスタがオン状態となって、プリチャージ電圧Ｖpreがデータ線１０３に供給される。
インターフェース回路３２０は外部機器から供給される入力画像データＤｉｎにガンマ補正等の画像処理を施して出力画像データＤｏｕｔとしてフレームメモリ３００に供給する。フレームメモリ３００は、１フレーム分の出力画像データＤｏｕｔを記憶して、順次Ｘドライバ２００に供給する。
【００２２】
図２は、画素回路４００の構成を示す回路図である。この例の画素回路４００は、図１に示す第１行第１列目に配置され、走査信号ＧＷＲＴ１および発光制御信号ＧＥＬ１が供給される。なお、他の画素回路４００についても同様に構成されている。画素回路４００は、駆動トランジスタＴＲ１、プログラムトランジスタＴＲ２、スイッチングトランジスタＴＲ３、ＥＬトランジスタＴＲ４、蓄積容量ＣおよびＯＬＥＤ素子４２０を備える。ＯＬＥＤ素子４２０のカソードは接地（ＧＮＤ）されている。また、駆動トランジスタＴＲ１はＰチャネルＴＦＴによって構成され、他のトランジスタはＮチャネルＴＦＴによって構成される。電流供給線１０４を介して電源電圧Ｖｄｄが供給される。なお、駆動トランジスタＴＲ１をＮチャネルＴＦＴによって構成し、他のトランジスタをＰチャネルＴＦＴで構成し、さらに、ＯＬＥＤ素子４２０の極性を反転させてもよい。
【００２３】
スイッチングトランジスタＴＲ３は、データ線１０３と画素回路４００との接続状態を切り換えるスイッチング手段として機能する。スイッチングトランジスタＴＲ３は、走査線１０１を介して供給される走査信号ＧＷＲＴ１がアクティブ（ハイレベル）のときオン状態となりデータ線１０３と画素回路４００とを接続する一方、走査信号ＧＷＲＴ１が非アクティブ（ローレベル）のときオフ状態となりデータ線１０３と画素回路４００とを分離する。
【００２４】
プログラムトランジスタＴＲ２は、走査信号ＧＷＲＴ１がアクティブとなる当該画素回路４００の書込期間において、オン状態となる一方、走査信号ＧＷＲＴ１が非アクティブとなる期間においてオフ状態となる。プログラムトランジスタＴＲ２およびスイッチングトランジスタＴＲ３がオン状態になると、図３に示すように、駆動トランジスタＴＲ１には、階調信号Ｘ１が設定電流ｉdataとして流れる。このとき、蓄積容量Ｃには、設定電流ｉdataを流せるように電荷が充電され、駆動トランジスタＴＲ１のソースには設定電流ｉdataの電流量に応じたソース電位が供給される。そして、走査信号ＧＷＲＴ１が非アクティブになると、プログラムトランジスタＴＲ２はオフ状態となる。
【００２５】
駆動トランジスタＴＲ１のゲートはハイインピーダンスであるから、蓄積容量Ｃに充電された電荷は保持され、ゲート電位は一定に保たれる。即ち、蓄積容量Ｃには設定電流ｉdataに応じた電位がプログラムされる。従って、プログラムトランジスタＴＲ２、駆動トランジスタＴＲ１および蓄積容量Ｃは、設定電流ｉdataの電流量を記憶する記憶手段として機能する。
【００２６】
一方、発光期間においては、プログラムトランジスタＴＲ２およびスイッチングトランジスタＴＲ３がオフ状態になるとともに、発光制御信号ＧＥＬがアクティブ（ハイレベル）になる。すると、ＥＬトランジスタＴＲ４がオン状態となり、図４に示すように、ＯＬＥＤ素子４２０には、書込期間においてプログラムされた設定電流ｉdataが流れる。これにより、所定の階調を表示することが可能となる。
【００２７】
図５に、Ｙドライバ１００およびＸドライバ２００の動作を説明するためのタイミングチャートを示す。第１行に着目すると、１フレームは、高輝度の出力画像データＤoutに対応する第１期間Ｔ１（前半の１／２フレーム）と低輝度の出力画像データＤoutに対応する第２期間Ｔ２（前半の１／２フレーム）とに分割される。第１期間Ｔ１は、第１書込期間Ｔ１wrtと第１発光期間Ｔ１elを含む。また、第２期間Ｔ２は、第２書込期間Ｔ２wrtと第２発光期間Ｔ２elを含む。第１書込期間Ｔ１wrtにおいては、高輝度の出力画像データＤｏｕｔに対応する設定電流idataがデータ線１０３に供給される。また、第２書込期間Ｔ２wrtにおいては、低輝度の出力画像データＤｏｕｔに対応する設定電流idataがデータ線１０３に供給される。そして、第１発光期間Ｔ１elは第２発光期間Ｔ２elよりも長くなるように設定されている。なお、これらの点は、第２行目から第m行目においても同様である。
【００２８】
本実施形態においては、第１発光期間Ｔ１elと第２発光期間Ｔ２elとが第２書込期間Ｔ２wrtを介して隣接している。このように第１発光期間Ｔ１elと第２発光期間Ｔ２elとを近づけたのは、偽輪郭による画質劣化を改善するためである。この点について、具体的に説明する。まず、図６に示すように左半分が少し明るく、右半分が少し暗い画面において、人の視線が左から右に移動した場合を想定する。この場合、網膜上の発光の軌跡は図７（ａ）に示すものとなり、網膜上の刺激分布は図７（ｂ）に示すものとなる。同図に示すように視認される刺激には画面の境界部分でわずかに乱れる領域Ｑが生じる。
【００２９】
ここで、図８に示すように低輝度の第１発光期間Ｔ１elと第２発光期間Ｔ２elが離れている場合を想定すると、網膜上の発光の軌跡は図９（ａ）に示すものとなり、網膜上の刺激分布は図９（ｂ）に示すものとなる。同図に示すように視認される刺激には画面の境界部分で大きく乱れる領域Ｐが生じる。これが、画質劣化の原因であり、階調の変化による発光期間のずれが、網膜上での空間的な不均一性となって偽輪郭が発生する。
上述したように本実施形態においては、第１発光期間Ｔ１elと第２発光期間Ｔ２elとが隣接しているので、領域Ｑは極めて小さい。この結果、偽輪郭の発生を防止して画質劣化を大幅に改善することができる。なお、図５に示すタイミングチャートにおいて、１フレームの前半に第２期間Ｔ２を配置し、その後半に第１期間Ｔ１を配置してもよいことは勿論である。この場合には、第１発光期間Ｔ１elと第２発光期間Ｔ２elとは第１書込期間Ｔ１wrtを介して隣接することになる。
【００３０】
また、本実施形態においては、高輝度に対応する設定電流idataのダイナミックレンジと低輝度に対応する設定電流idataのダイナミックレンジが等しくなるように各種の条件が設定されている。これにより、低輝度の書き込み不足を解消することが可能となる。
図１０に、階調値と第１発光期間Ｔ１elおよび第２発光期間Ｔ２elの関係を示す。まず高輝度に対応する設定電流idataの最小値を第１最小電流値Ｉａmin、その最大値を第１最大電流値Ｉａmaxとする。また、低輝度に対応する設定電流idataの最小値を第２最小電流値Ｉｂmin、その最大値を第２最大電流値Ｉｂmaxとする。さらに、高輝度に対応する第１期間Ｔ１では最大階調Ｎmaxから中間階調Ｎmidを表示し、低輝度に対応する第２期間Ｔ２では中間階調Ｎmidから最小階調Ｎminを表示するものとする。中間階調Ｎmidは両者の境界値となる。尚、最小階調NminはOLEDを全く発光させない黒レベルは含まないものとする。
【００３１】
ここで、中間階調Ｎmidを表示する場合を想定する。ＯＬＥＤ素子４２０の発光量は、設定電流idataに比例する。第１期間Ｔ１を用いて中間階調Ｎmidを表示する場合、その発光量はＩａmin・Ｔ１elとなり、第２期間Ｔ２を用いて中間階調Ｎmidを表示する場合、その発光量はＩｂmax・Ｔ２elとなる。このことから、以下の式（１）が成り立つ。
Ｉａmin・Ｔ１el＝Ｉｂmax・Ｔ２el
Ｔ１el／Ｔ２el＝Ｉａmin／Ｉｂmax
ここで、Ｔ１el／Ｔ２el＝Ｋであるから、
Ｉｂmax／Ｉａmin＝Ｋ…（１）
【００３２】
次に、Ｎmax／Ｎmid＝Ｓ１、Ｎmid／Ｎmin＝Ｓ２とし、式（１）を適用すると、第１期間Ｔ１と第２期間Ｔ２の設定電流idataのダイナミックレンジは、以下のようになる。
１）低輝度に対応する第２期間Ｔ２
最小電流（最小階調Ｎminを表示）：Ｉｂmin＝Ｉｂmax／Ｓ２＝Ｋ・Ｉａmin／Ｓ２
最大電流（中間階調Ｎmidを表示）：Ｉｂmax＝Ｋ・Ｉａmin
２）高輝度に対応する第１期間Ｔ１
最小電流（中間階調Ｎmidを表示）：Ｉａmin
最大電流（最大階調Ｎmaxを表示）：Ｉａmax＝Ｓ１・Ｉａmin
【００３３】
ここで、第１期間Ｔ１と第２期間Ｔ２の設定電流idataのダイナミックレンジが一致する条件は、各期間の最小電流と最大電流が各々一致することである。従って、この条件を充足するには、以下の式（２）および（３）が成り立つことが必要である。
Ｋ・Ｉａmin／Ｓ２＝Ｉａmin  →  Ｋ＝Ｓ２…（２）
Ｋ・Ｉａmin＝Ｓ１・Ｉａmin  →  Ｋ＝Ｓ１…（３）
よって、第1発光期間Ｔ１elと第２発光期間T２elとの比Ｋが、第１最大電流値Ｉａmaxと第１最小電流値Ｉａminの比Ｓ１と等しく、第２最大電流値Ｉｂmaxと第２最小電流値Ｉｂminの比Ｓ２と等しい場合に、第１期間Ｔ１と第２期間Ｔ２の設定電流idataが一致する。本実施形態においては、そのように設定されている。
【００３４】
さらに、最小階調Nminから最大階調Nmaxまでの表示階調が等分されており、その階調数をZとすると、第１期間Ｔ１と第２期間Ｔ２の設定電流idataが一致する条件は以下の式（４）で与えられる。
Ｚ＝Ｎmax／Ｎmin＝（Ｉａmax・Ｔ１el）／（Ｉｂmin・Ｔ２el）
＝Ｋ・Ｉａmax／Ｉｂmin
＝Ｋ２    …（４）
よって、第1発光期間Ｔ１elと第２発光期間T２elとの比Ｋが、最大階調Nmaxと最小階調Nminとの比Ｚの平方根と等しい場合に第１期間Ｔ１と第２期間Ｔ２の設定電流idataが一致する。本実施形態においては、そのように設定されている。
【００３５】
このように本実施形態においては、高輝度に対応する第１書込期間Ｔ１wrtにおける設定電流idataのダイナミックレンジと低輝度に対応する第２書込期間Ｔ２wrtにおける設定電流idataのダイナミックレンジとを等しくすることができる。低輝度と高輝度で書込期間を分ける場合、どちらの書込期間においても設定電流idataを十分書き込むことは、正確に階調を表示する点で重要である。一方、データ線１０３には浮遊容量が付随するため、設定電流idataの書き込みは浮遊容量の値を加味した所定の時定数に従ってなされる。この場合、ダイナミックレンジに広狭があると、広いダイナミックレンジでの書き込みは狭いダイナミックレンジでの書き込みと比較して、時間を要し、十分に設定電流idataを書き込めない場合があり得る。本実施形態においては、第１書込期間Ｔ１wrtと第２書込期間Ｔ２wrtのダイナミックレンジが一致するので、設定電流idataの書き込みについて有利・不利の関係はない。また、両者を一致させることによって、不一致の場合と比較してダイナミックレンジを狭くでき、設定電流idataの書き込みを容易にできる。この結果、設定電流idataの書き込み不足を解消して、正確な階調を表示することが可能となる。
【００３６】
＜２．第２実施形態＞
次に、本発明の第２実施形態について説明する。第２実施形態に係る電気光学装置１０は、第１期間Ｔ１を用いて表示する階調範囲と第２期間Ｔ２を用いて表示する階調範囲の関係を除いて、第１実施形態の電気光学装置１０と同様である。
図１１に第２実施形態に係る階調値と第１発光期間Ｔ１elおよび第２発光期間Ｔ２elの関係を示す。同図に示すように高輝度に対応する第１期間Ｔ１では最大階調Ｎmaxから第１中間階調Ｎmid1を表示し、低輝度に対応する第２期間Ｔ２では第２中間階調Ｎmid2から最小階調Ｎminを表示する。第１中間階調Ｎmid1と第２中間階調Ｎmid2とは、Ｎmid1＜Ｎmid2に設定する。したがって、第１期間Ｔ１で受け持つ階調範囲と第２期間Ｔ２で受け持つ階調範囲は、第１中間階調Ｎmid1から第２中間階調Ｎmid2までの範囲で重複する。第１書込期間Ｔ１wrtにおける階調電流idataの値は、第１最大電流値Ｉａmaxが最大階調Ｎmaxに対応し、第１最小電流値Ｉａminが第１中間階調Ｎmid1に対応する。また、第２書込期間Ｔ２wrtにおける階調電流idataの値は、第２最大電流値Ｉｂmaxが第２中間階調Ｎmid2に対応し、第２最小電流値Ｉｂminが最小階調Ｎminに対応する。くわえて、第１中間階調Ｎmid1に対応する第２書込期間Ｔ２wrtにおける階調電流idataの値はＩｂmid1であり、第２中間階調Ｎmid2に対応する第１書込期間Ｔ１wrtにおける階調電流idataの値はＩａmid2である。
【００３７】
本実施形態において、表示すべき階調が第１中間階調Ｎmid1から第２中間階調Ｎmid2までの重複範囲にある場合には、第１期間Ｔ１を用いて表示するか、第２期間Ｔ２を用いて表示するかをランダムに選択する。このように、重複範囲を設定してランダムに選択したのは、以下の理由による。即ち、高輝度に対応する第１期間Ｔ１と低輝度に対応する第２期間Ｔ２に分けた場合、異なるプロセスでＯＬＥＤ素子４２０を発光させるため、構成要素がばらつくと、階調が不連続になる。即ち、第１期間Ｔ１の受け持つ階調範囲と第２期間Ｔ２の階調範囲との境界で、実際に表示される階調に段差が生じる。特に、グラディエーションがなだらかに変化する画像を表示すると、階調の段差が目立つ。そこで、重複範囲を設定し、これをランダムに切り替えることによって、階調の段差を目立たなくしたのである。
【００３８】
図１２に第２実施形態に係るＸドライバ２００の詳細な構成を示す。この図に示すように、Ｘドライバ２００は、階調値判定回路２０１、ゲイン調整回路２０２、シリアル・パラレル変換回路２０３、および電流変換部２０４を備える。階調値判定回路２０１は、フレームメモリ３００から供給される出力画像データＤoutの示す階調が、どの範囲に属するかを判定し、判定結果に基づいて制御信号Wを生成する。ゲイン調整回路２０２は、制御信号Wに従って、階調データＤ’を生成する。
【００３９】
より具体的には、出力画像データＤoutの示す階調をＧとしたとき、以下の制御が実行される。
（１）Ｎmin≦G＜Ｎmid1
この場合には、第２期間Ｔ２を用いてＯＬＥＤ素子４２０を発光させる。このため、階調値判定回路２０１は、出力画像データＤoutのゲインを以下のように調整して階調データＤ’を生成するようにゲイン調整回路２０２を制御する。即ち、出力画像データＤoutの階調範囲であるＮminからＮmid1までが、ＩｂminからＩｂmid1までに対応するように階調データＤ’を生成し、第２書込期間Ｔ２wrtに階調データＤ’を出力する。
【００４０】
（２）Ｎmid1≦G≦Ｎmid2
この場合には、第１期間Ｔ１または第２期間Ｔ２を用いてＯＬＥＤ素子４２０を発光させる。階調値判定回路２０１は、出力画像データＤoutのゲインを以下のように調整して階調データＤ’を生成するようにゲイン調整回路２０２を制御する。即ち、第１期間Ｔ１および第２期間Ｔ２のうち一方をランダムに選択する。第１期間Ｔ１を選択した場合は、出力画像データＤoutの階調範囲であるＮmid1からＮmid2までが、ＩａminからＩａmid2までに対応するように階調データＤ’を生成し、第１書込期間Ｔ１wrtを用いて階調データＤ’を出力する。一方、第２期間Ｔ２を選択した場合は、出力画像データＤoutの階調範囲であるＮmid1からＮmid2までが、Ｉｂmid1からＩｂmaxまでに対応するように階調データＤ’を生成し、第２書込期間Ｔ２wrtを用いて階調データＤ’を出力する。
【００４１】
（３）Ｎmid2＜G≦Ｎmax
この場合には、第１期間Ｔ１を用いてＯＬＥＤ素子４２０を発光させる。このため、階調値判定回路２０１は、出力画像データＤoutのゲインを以下のように調整して階調データＤ’を生成するようにゲイン調整回路２０２を制御する。即ち、出力画像データＤoutの階調範囲であるＮmid2からＮmaxまでが、Ｉａmid2からＩａmaxまでに対応するように階調データＤ’を生成し、第１書込期間Ｔ１wrtに階調データＤ’を出力する。
【００４２】
生成された階調データＤ’は、シリアル・パラレル変換回路２０３において、シリアル形式の階調データＤ’からパラレル形式の階調データｄ１、ｄ２、…ｄｎに変換される。電流変換部２０４はｎ個の電流ＤＡ変換器を備え、これらを用いて階調データｄ１、ｄ２、…ｄｎをデータ信号Ｘ１、Ｘ２、…、Ｘｎに変換してデータ線１０３に出力する。
このように本実施形態においては、重複範囲を設け、表示すべき階調が重複範囲にある場合に第１期間Ｔ１と第２期間Ｔ２をランダムに選択したので、階調の不連続性を目立たなくすることが可能となる。
【００４３】
＜３．第３実施形態＞
次に、本発明の第３実施形態について説明する。第３実施形態に係る電気光学装置１０は、表示すべき階調が中間階調Ｎmidを含む所定の範囲（以下、中間範囲ΔNmidと称する）にある場合の処理を除いて、第１実施形態の電気光学装置１０と同様である。
図１３に第３実施形態に係るＸドライバ２００の詳細な構成を示す。この図に示すように、Ｘドライバ２００は、上述した第２実施形態の構成（図１２参照）に、中間範囲判定回路２０５、ランダムデータ生成回路２０６および加算回路２０７を加えたものになっている。中間範囲判定回路２０５は、出力画像データＤoutの階調が中間範囲ΔNmidに属するか否かを判定し、属する場合にはランダムデータＤｒを生成するようにランダムデータ生成回路２０６を制御する。ここで、中間範囲ΔNmidは図１４に示すように中間階調Ｎmidを中心に±ΔＮの範囲である。
【００４４】
ランダムデータ生成回路２０６の生成するランダムデータＤｒは階調−ΔＮから階調＋ΔＮまでの範囲でランダムな値をとる。また、出力画像データＤoutの階調が中間範囲ΔNmidに属さない場合、ランダムデータ生成回路２０６はランダムデータＤｒを生成しない。従って、加算回路２０７は、出力画像データＤoutの階調が中間範囲ΔNmidに属する場合にのみ出力画像データＤoutにランダムデータＤoutを加算し、中間範囲ΔNmidに属しない場合には出力画像データＤoutをそのまま出力する。
【００４５】
階調値判定回路２０１は、加算回路２０７の出力データの階調が中間階調Ｎmid以上であるか否かを判定し、判定結果に基づいてゲイン調整回路２０２を制御する。具体的には、中間階調Ｎmid以上である場合には、階調範囲であるＮmidからＮmaxまでが、ＩａminからＩａmaxまでに対応するように階調データＤ’を生成し、第１書込期間Ｔ１wrtに階調データＤ’を出力する。一方、中間階調Ｎmid未満である場合には、階調範囲であるＮminからＮmidまでが、ＩｂminからＩｂmaxまでに対応するように階調データＤ’を生成し、第２書込期間Ｔ２wrtに階調データＤ’を出力する。
【００４６】
このように本実施形態においては、第１期間Ｔ１と第２期間Ｔ２の各々が担当する階調範囲の境界から所定範囲に表示すべき階調が属する場合には、ランダムな階調を合成した。高輝度に対応する第１期間Ｔ１と低輝度に対応する第２期間Ｔ２に分割して駆動した場合、ばらつきによって階調が不連続になっても、中間範囲ΔＮmidでは実際に表示すべき階調がランダム化されるので、階調の段差を目立たなくすることができる。
【００４７】
＜４．電子機器＞
次に、上述した第１乃至第３実施形態に係る電気光学装置１０を適用した電子機器について説明する。図１５に、電気光学装置１０を適用したモバイル型のパーソナルコンピュータの構成を示す。パーソナルコンピュータ２０００は、表示ユニットとしての電気光学装置１０と本体部２０１０を備える。本体部２０１０には、電源スイッチ２００１及びキーボード２００２が設けられている。この電気光学装置１０はＯＬＥＤ素子４２０を用いるので、視野角が広く見易い画面を表示できる。
図１６に、電気光学装置１０を適用した携帯電話機の構成を示す。携帯電話機３０００、複数の操作ボタン３００１及びスクロールボタン３００２、並びに表示ユニットとしての電気光学装置１０を備える。スクロールボタン３００２を操作することによって、電気光学装置１０に表示される画面がスクロールされる。
図１７に、電気光学装置１０を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１０を備える。電源スイッチ４００２を操作すると、住所録やスケジュール帳といった各種の情報が電気光学装置１０に表示される。
なお、電気光学装置１０が適用される電子機器としては、図１５〜図１７に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置１０が適用可能である。また、直接画像や文字などを表示する電子機器の表示部に限られず、被感光体に光を照射することにより間接的に画像もしくは文字を形成するために用いられる印刷機器の光源として適用してもよい。
【図面の簡単な説明】
【００４８】
【図１】本発明の第１実施形態に係る電気光学装置の全体構成を示すブロック図である。
【図２】同装置の画素回路４００の回路図である。
【図３】書込期間における電流経路を示す説明図である。
【図４】発光期間における電流経路を示す説明図である。
【図５】同装置に用いるＹドライバ１００およびＸドライバ２００の動作を説明するためのタイミングチャートを示す。
【図６】視線の移動と画面の関係を示す説明図である。
【図７】同装置の駆動方法における網膜上の発光の軌跡と網膜上の刺激分布の関係を示す説明図である。
【図８】第１発光期間と第２発光期間が離れる場合の一例を示す説明図である。
【図９】図８に示すタイミングを採用した場合における網膜上の発光の軌跡と網膜上の刺激分布の関係を示す説明図である。
【図１０】第１実施形態に係る階調値と第１書込期間Ｔ１elおよび第２書込期間Ｔ２elの関係を示す説明図である。
【図１１】第２実施形態に係る階調値と第１書込期間Ｔ１elおよび第２書込期間Ｔ２elの関係を示す説明図である。
【図１２】第２実施形態に係るＸドライバ２００の詳細な構成を示すブロック図である。
【図１３】第３実施形態に係るＸドライバ２００の詳細な構成を示すブロック図である。
【図１４】中間範囲ΔNmidを示す説明図である。
【図１５】電気光学装置を適用した電子機器の一例たるパーソナルコンピュータの構成を示す斜視図である。
【図１６】電気光学装置を適用した電子機器の一例たる携帯電話の構成を示す斜視図である。
【図１７】電気光学装置を適用した電子機器の一例たる携帯情報端末の構成を示す斜視図である。
【符号の説明】
【００４９】
１０１…走査線、１０２…発光制御線、１０３…データ線、４００…画素回路、４２０…ＯＬＥＤ素子（電気光学素子）、１００…Ｙドライバ（第１駆動手段）、２００…Ｘドライバ（第２駆動手段）、ｉdata…設定電流、Ｔ１…第１期間、Ｔ２…第２期間、Ｔ１el…第１発光期間、Ｔ２el…第２発光期間、Ｉａmin…第１最小電流値、Ｉａmax…第１最大電流値、Ｉｂmin…第２最小電流値、Ｉｂmax…第２最大電流値、Ｎmax…最大階調、Ｎmid…中間階調、Ｎmin…最小階調、ΔＮmid…中間範囲。
【図１】
2006023460.tif 000003
【図２】
2006023460.tif 000004
【図３】
2006023460.tif 000005
【図４】
2006023460.tif 000006
【図５】
2006023460.tif 000007
【図６】
2006023460.tif 000008
【図７】
2006023460.tif 000009
【図８】
2006023460.tif 000010
【図９】
2006023460.tif 000011
【図１０】
2006023460.tif 000012
【図１１】
2006023460.tif 000013
【図１２】
2006023460.tif 000014
【図１３】
2006023460.tif 000015
【図１４】
2006023460.tif 000016
【図１５】
2006023460.tif 000017
【図１６】
2006023460.tif 000018
【図１７】
2006023460.tif 000019